(57)【要約】【課題】回転時における回転部材の支持部の摩擦抵抗を小さくすることができ、回転部材の傾きを抑制することができるように構成した機械式時計を提供する。【解決手段】本発明の機械式時計は、輪列の回転に基づいて回転する内側回転部材２２０と、内側回転部材２２０の外周部に配置された複数のころ軸受２３０と、ころ軸受のころの外周面に対して隙間をもつように配置されたころ受け面を含むころ受部材とを備える。ころ軸受２３０は、円環状のころと、内側回転部材２２０に対して、ころを回転可能なように固定するころ固定部材とを含む。【選択図】図１
2008058094.tif 000002
【特許請求の範囲】
【請求項１】
動力源、脱進機構、調速機構、輪列を含む機械式時計において、
輪列の回転に基づいて回転する内側回転部材（２２０）と、
前記内側回転部材（２２０）の外周部に配置された複数のころ軸受（２３０）と、
前記ころ軸受（２３０）のころの外周面に対して隙間をもつように配置されたころ受け面を含むころ受部材（１０６、２０２）と、
を備えることを特徴とする機械式時計。
【請求項２】
前記ころ軸受（２３０）は、円環状のころ（２３２）と、前記内側回転部材（２２０）に対して前記ころ（２３２）を回転可能なように固定するころ固定部材（２３４）とを含み、前記ころ固定部材（２３４）は固定部を含み、前記固定部を前記内側回転部材（２２０）に固定することによって前記内側回転部材（２２０）に対して前記ころ（２３２）を回転可能に保持することができるように構成されることを特徴とする、請求項１に記載の機械式時計。
【請求項３】
前記ころ軸受は、円環状のころ（２３２）と、前記内側回転部材（２２０）に対して前記ころ（２３２）を回転可能なように固定するころ固定部材（２３４）とを含み、前記ころ（２３２）の回転中心軸線は、前記内側回転部材（２２０）の回転中心軸線と直交するように構成されることを特徴とする、請求項１に記載の機械式時計。
【請求項４】
前記ころ受部材（１０６、２０２）は、ムーブメントの裏側に配置された２つの受部材で構成され、前記ころ受け面が、それぞれの受部材に形成され、前記ころ受け面は、前記内側回転部材（２２０）の回転中心軸線と直交するように構成されることを特徴とする、請求項２又は３に記載の機械式時計。
【請求項５】
前記ころ軸受（２３０）の個数は４個であり、前記ころ軸受（２３０）のころ（２３２）の回転中心軸線は、等しい角度間隔で配置されることを特徴とする、請求項１から４のいずれか１項に記載の機械式時計。
【請求項６】
さらに、前記内側回転部材（２２０）に対して回転可能なように設けられた外側回転部材（２４０）とを備え、前記内側回転部材（２２０）は、ぜんまいを含む香箱車（１２０、１２２）の回転に基づいて回転するように構成され、脱進機構および調速機構が前記外側回転部材（２４０）に配置されることを特徴とする、請求項１から５のいずれか１項に記載の機械式時計。
【請求項７】
さらに、機械式時計のムーブメントに対して固定された第１固定歯車（２５２）と、
前記内側回転部材（２２０）に対して固定された第２固定歯車（２５４）とを備え、
前記外側回転部材（２４０）の回転中心軸線は、前記第１固定歯車（２５２）の外周の回りを回転移動するように構成され、
前記脱進機構に含まれるがんぎ車（２１２）の回転中心軸線は、前記第２固定歯車（２５４）の外周の回りを回転移動するように構成される、
ことを特徴とする、請求項６に記載の機械式時計。
【請求項８】
前記内側回転部材（２２０）の回転に基づいて回転するように構成された中間伝達車（１２６）と、前記中間伝達車（１２６）の回転に基づいて回転するように構成された分車（１３２）と、前記分車（１３２）の回転に基づいて回転するように構成された日の裏車（１３６）と、前記日の裏車（１３６）の回転に基づいて回転するように構成された時車（１３０）とを備え、前記時車（１３０）の指針取付け部は、前記分車（１３２）の穴部を貫通するように構成されることを特徴とする、請求項６に記載の機械式時計。
【発明の詳細な説明】
【技術分野】
【０００１】
本発明は、ムーブメントに対して回転可能に設けられた回転部材を含む機械式時計に関する。特に、本発明は、複数のころ軸受によって支持されて回転するケージを含む機械式時計に関する。
【背景技術】
【０００２】
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。
【０００３】
一般に、「１２時側」とは、アナログ式の機械式時計において、文字板の１２時に対応する目盛が配置されている方の側を示す。「１２時方向」とは、機械式時計において、指針の回転中心から「１２時側」に向かう方向を示す。また、「３時側」とは、機械式時計において、文字板の３時に対応する目盛が配置されている方の側を示す。「３時方向」とは、アナログ式時計において、指針の回転中心から「３時側」に向かう方向を示す。また、「６時側」とは、機械式時計において、文字板の６時に対応する目盛が配置されている方の側を示す。「６時方向」とは、機械式時計において、指針の回転中心から「６時側」に向かう方向を示す。また、「９時側」とは、機械式時計において、文字板の９時に対応する目盛が配置されている方の側を示す。「９時方向」とは、機械式時計において、指針の回転中心から「９時側」に向かう方向を示す。さらに、「２時方向」、「２時側」のように、その他の文字板の目盛が配置されている方の側を示すことがある。
【０００４】
従来、ムーブメントに対して回転する回転部材を含む機械式時計として、「トゥールビヨン機構(the carousel tourbillon mechanism)」を含む機械式時計が知られている。このようなトゥールビヨン機構を含む機械式時計では、脱進装置、調速装置を構成するがんぎ車とてんぷを「キャリッジ」という「ケージ（かご）」に収め、「キャリッジ」全体を一定の速度で回転させている。このような機械式時計は、「キャリッジ」を１周させることによって、姿勢差を解消して、時計の精度を維持している。がんぎ車は「キャリッジ」に固定されている。がんぎ車の回転運動は、がんぎカナから、てん真に取り付けられたてん真歯車に伝えられる。てん真歯車のてん真カナに四番歯車が噛み合っている。「キャリッジ」は、てん真を中心として回転する。てん真歯車も、てん真を中心として回転する。したがって、四番車は、調速されたがんぎ車の回転を伝達することができる。このような機械式時計では、「キャリッジ」は、通常１分間で１回転する。このような機械式時計では、使用者が「ケージ（かご）」の動きを見ることができるように、文字板には、てん輪よりやや大きめの穴が開いている（例えば、非特許文献１、非特許文献２参照）。
【０００５】
また、ムーブメントに対して回転する回転錘を含む機械式時計では、回転錘の支持方式として、ムーブメントの中心に軌道半径が比較的小さいボールベアリングを配置した中心支持式構造と、ムーブメントの外周近傍に軌道半径が比較的大きいボールベアリングを配置した外周支持式構造とが知られている。
【０００６】
【非特許文献１】「機械式時計解体新書」、第１０８〜１１１頁、本間修二監修、大泉書店発行、平成１３年３月４日初版発行
【非特許文献２】「時計学の理論(The Theory of Horology)」、第１６７〜１６８頁、バリー・ド・ジュール技術大学(The Technical College of The Vallee de Joux)編、スイス連邦技術大学会(The Swiss Federation of Technical Colleges)発行、１９９９年４月発行
【発明の開示】
【発明が解決しようとする課題】
【０００７】
従来のトゥールビヨン機構を用いた機械式時計では、「キャリッジ」は、「てん真」を中心として回転するように構成されているので、機械式時計の中心、すなわちムーブメントの中心（時車の回転中心、および、分車の回転中心）を回転中心として回転する比較的大きい回転部材を搭載することができなかった。また、ムーブメントの中心にボールベアリングを配置した中心支持式の回転錘を含む構造では、回転錘の回転時に回転錘があおることによる地板との擦れ抵抗が発生するおそれがあるという課題があった。また、ムーブメントの外周近傍にボールベアリングを配置した外周支持式の回転錘を含む構造では、回転錘の回転時における回転錘支持部の摩擦抵抗を小さくするのが困難であるという課題があった。
【０００８】
本発明の目的は、回転時における回転部材の支持部の摩擦抵抗を小さくすることができるように構成した機械式時計を提供することにある。
本発明の他の目的は、回転時における回転部材の傾きを抑制することができるように構成した機械式時計を提供することにある。
本発明の更に他の目的は、使用者が内側回転部材、外側回転部材、脱進機構、調速機構等の作動を見ることができるように構成した機械式時計を提供することにある。
【課題を解決するための手段】
【０００９】
本発明は、動力源、脱進機構、調速機構、輪列を含む機械式時計において、輪列の回転に基づいて回転する内側回転部材と、前記内側回転部材の外周部に配置された複数のころ軸受と、前記ころ軸受のころの外周面に対して隙間をもつように配置されたころ受け面を含むころ受部材とを備えることを特徴とする。この構成により、回転時における内側回転部材の支持部の摩擦抵抗を小さくすることができる。また、この構成により、回転時における内側回転部材の傾きを効果的に抑制することができる。
【００１０】
本発明の機械式時計においては、前記ころ軸受は、円環状のころと、内側回転部材に対して前記ころを回転可能なように固定するころ固定部材とを含み、前記ころ固定部材は固定部を含み、前記固定部を前記内側回転部材に固定することによって、前記内側回転部材に対して前記ころを回転可能に保持することができるように構成されるのがよい。本発明の機械式時計においては、前記ころ軸受は、円環状のころと、前記内側回転部材に対して前記ころを回転可能なように固定するころ固定部材とを含み、前記ころの回転中心軸線は、前記内側回転部材の回転中心軸線と直交するように構成されるのがよい。
【００１１】
本発明の機械式時計においては、前記ころ受部材は、ムーブメントの裏側に配置された２つの受部材で構成され、前記ころ受け面が、それぞれの受部材に形成され、前記ころ受け面は、前記内側回転部材の回転中心軸線と直交するように構成されるのがよい。本発明の機械式時計においては、前記ころ軸受の個数は４個であり、前記ころ軸受のころの回転中心軸線は、等しい角度間隔で配置されるのが好ましい。本発明の機械式時計は、さらに、前記内側回転部材に対して回転可能なように設けられた外側回転部材とを備え、前記内側回転部材は、ぜんまいを含む香箱車の回転に基づいて回転するように構成され、脱進機構および調速機構が前記外側回転部材に配置されるのがよい。
【００１２】
本発明の機械式時計は、さらに、機械式時計のムーブメントに対して固定された第１固定歯車と、前記内側回転部材に対して固定された第２固定歯車とを備え、前記外側回転部材の回転中心軸線は、前記第１固定歯車の外周の回りを回転移動するように構成され、前記脱進機構に含まれるがんぎ車の回転中心軸線は、前記第２固定歯車の外周の回りを回転移動するように構成されるのがよい。
【００１３】
本発明の機械式時計においては、前記内側回転部材の回転に基づいて回転するように構成された中間伝達車と、前記中間伝達車の回転に基づいて回転するように構成された分車と、前記分車の回転に基づいて回転するように構成された日の裏車と、前記日の裏車の回転に基づいて回転するように構成された時車とを備え、前記時車の指針取付け部は、前記分車の穴部を貫通するように構成されるのがよい。
【００１４】
本発明の機械式時計では、輪列の回転に基づいて内側回転部材が回転する。内側回転部材が回転すると、外側回転部材は、第一固定歯車のまわりを公転しながら自転する。外側回転部材が回転すると、がんぎ車の「がんぎかな」は、第二固定歯車のまわりを公転しながら自転する。したがって、本発明の機械式時計では、脱進機構、調速機構は、外側回転部材とともに、第一固定歯車のまわりを公転しながら自転する。以上のように構成することによって、使用者は、透明な時計ガラスを通して、時刻を認識するとともに、内側回転部材、外側回転部材、脱進機構、調速機構等の作動を見ることができる。
【発明の効果】
【００１５】
本発明の機械式時計では、回転部材を支持する構造として、「ころ軸受」を用いているので、「ころ」の回転により、回転部材の回転時における回転部材支持部の摩擦抵抗を小さくすることができる。また、本発明の機械式時計では、「ころ」の上下のすきまを適切に設定することができるので、回転部材の回転時における回転部材の傾きを効果的かつ確実に抑制することができる。本発明の機械式時計では、使用者は、内側回転部材、外側回転部材、脱進機構、調速機構等の作動を見ることができる。
【発明を実施するための最良の形態】
【００１６】
以下に、本発明の実施の形態を図面に基づいて説明する。
（１）ムーブメントの全体構成：
図１から図６を参照すると、本発明の機械式時計はムーブメント１００を備える。ムーブメント１００は、地板１０２と、第二地板１１２とを含む。ムーブメント１００は、さらに、輪列受１０４と、第二輪列受１０６とを備える。第二地板１１２、第二輪列受１０６は地板１０２の裏側に配置される。文字板１１０（図５に仮想線で示す）が第二輪列受１０６のガラス側に配置される。巻真１１８が地板１０２に対して回転可能であって、軸線方向に移動可能なように地板１０２に組み込まれる。ムーブメント１００の表側には、輪列の一部と、手巻機構と、切換装置とが配置される。或いは、自動巻機構を設けてもよい。或いは、切換装置はムーブメント１００の裏側に配置してもよい。ムーブメント１００の裏側には、輪列の一部と、脱進機構と、調速機構とが配置される。
【００１７】
（２）輪列の構成
次に、輪列の構成について説明する。図２、図４および図５を参照すると、第一香箱車１２０、第二香箱車１２２、香箱中間車１２４が、地板１０２及び第二輪列受１０６に対して回転可能に支持される。第一香箱車１２０は、第一ぜんまいと、第一香箱真と、第一香箱歯車１２１と、香箱蓋とを有する。第二香箱車１２２は、第二ぜんまいと、第二香箱真と、第二香箱歯車１２３と、第二香箱蓋とを有する。香箱中間車１２４は香箱中間歯車１２５を有する。第一香箱歯車１２１は香箱中間歯車１２５と噛み合うように構成される。第二香箱歯車１２３は香箱中間歯車１２５と噛み合うように構成される。第一ぜんまいおよび第二ぜんまいは機械式時計の動力源を構成する。
【００１８】
第一ぜんまいが巻き戻される（解放される）ことにより、第一香箱歯車１２１は、図４において反時計回り方向（図４に矢印で示す）に回転するように構成される。第二ぜんまいが巻き戻される（解放される）ことにより、第二香箱歯車１２３は、図４において反時計回り方向（図４に矢印で示す）に回転するように構成される。第一香箱車１２０と第二香箱車１２２は、香箱中間車１２４を介して連動するように動力源を構成するので、輪列に対して高いぜんまいトルクを出力することができる。本発明の実施の形態について、２つの香箱車を設ける構成を図示して説明したけれども、本発明は１つの香箱車を含む構成によって実現することもできる。
【００１９】
図５および図６を参照すると、中心パイプ１０３が地板１０２に対して固定される。中心パイプ１０３の先端部はムーブメントの「ガラス側」に向って延びる。第二中心パイプ１１３が第二地板１１２に対して固定される。第二中心パイプ１１３の先端部はムーブメントの「ガラス側」に向って延びる。中心パイプ１０３の円筒状部分は、第二中心パイプ１１３の円筒状部分の内側に配置される。中心パイプ１０３の中心軸線と第二中心パイプ１１３の中心軸線は同じ位置に配置される。
【００２０】
図１、図４から図６を参照すると、大ケージ２２０は、大ケージ体２２１と、大ケージかな２２２とを含む。大ケージ２２０は、中心パイプ１０３の中心軸線を中心として回転する内側回転部材を構成する。大ケージかな２２２の中心穴は、第二中心パイプ１１３の円筒状部分の外側面に対して回転可能に配置される。大ケージ体２２１は、第二輪列受１０６のガラス側において回転するように配置される。第二香箱歯車１２３は、大ケージかな２２２の歯車部と噛み合うように構成される。
【００２１】
二番中間車１２６が、地板１０２及び第二輪列受１０６に対して回転可能に支持される。二番中間車１２６は、第一中間歯車１２７と、第二中間歯車１２８と、第三中間歯車１２９とを有する。第一中間歯車１２７は、第二輪列受１０６に近い側に位置する。第三中間歯車１２９は、地板１０２に近い側に位置する。第二中間歯車１２８は、第一中間歯車１２７と第三中間歯車１２９との間に位置する。第一中間歯車１２７は、二番中間車１２６の軸部に対して、一定のスリップトルクにおいてスリップ可能なように構成されたスリップ部を有する。このスリップ部は、在来の分車スリップ部と同様に、第一中間歯車１２７に、ばね部を形成することによって構成することができる。第一中間歯車１２７は、大ケージかな２２２の歯車部と噛み合うように構成される。二番中間車１２６は、中間伝達車を構成する。
【００２２】
分車１３２が、中心パイプ１０３に対して回転可能に配置される。分車１３２は分歯車１３３と、分かな１３４とを有する。分車１３２の中心穴は、中心パイプ１０３の円筒状部分の外側面に対して回転可能に配置される。分歯車１３３は、地板１０２と第二地板１１２との間において回転するように配置される。時車１３０が、中心パイプ１０３と、輪列受１０４とに対して回転可能に配置される。時車１３０のそろばん玉は、中心パイプ１０３の円筒状部分の内側面に対して回転可能に配置される。時車１３０は時歯車１３１を有する。時歯車１３１は、地板１０２と輪列受１０４との間において回転するように配置される。分車１３２の回転中心と時車１３０の回転中心とは同じ位置にあるように構成される。大ケージ２２０の回転中心は、時車１３０の回転中心とは同じ位置にあるように構成される。
【００２３】
日の裏車１３６が、輪列受１０４と第二地板１１２に対して回転可能に配置される。日の裏車１３６は日の裏歯車１３７と、日の裏かな１３８とを有する。日の裏車１３７は、分歯車１３３と地板１０２との間において回転するように配置される。第三中間歯車１２９は、分歯車１３３と噛み合うように構成される。日の裏歯車１３７は、分かな１３４と噛み合うように構成される。時歯車１３１は、日の裏かな１３８と噛み合うように構成される。分車１３２に取り付けられた分針１６４が「分」を表示するように構成される。時車１３０に取り付けられた時針１６２が「時」を表示するように構成される。時針１６２は分針１６４よりもガラス側に位置して回転するように構成される。
【００２４】
（３）回転部材の構成：
次に、回転部材の構成について説明する。図１、図５および図６を参照すると、本発明の機械式時計は、大ケージ２２０と、小ケージ２４０とを備える。大ケージ２２０は、輪列の回転に基づいて回転する内側回転部材を構成する。小ケージ２４０は、内側回転部材に対して回転可能なように設けられた外側回転部材を構成する。大ケージ体２２１は、回転中心から外方に延びた複数のアームを含むように構成することができる。例えば、大ケージ体２２１は、４個のアームを含むのがよい。アームの数は、２個であってもよいし、３個以上であってもよい。
【００２５】
複数のころ軸受２３０が、大ケージ体２２１の外周部に配置される。例えば、大ケージ体２２１の４個のアームの先端部に、それぞれ１個のころ軸受（ローラ・ベアリング）２３０が配置される。ころ軸受２３０のころの外周面は、第二輪列受１０６のころ受け面に接触するように構成される。大ケージ受２０２が、第二輪列受１０６のガラス側に配置される。大ケージ受２０２は、ころ軸受２３０のころの外周面に対して隙間をもつように配置されたころ受け面を含むように構成される。したがって、ころ軸受２３０のころを受けるためのころ受部材は、ムーブメントの裏側（ガラス側）に配置された２つの受部材、すなわち、第二輪列受１０６と大ケージ受２０２で構成される。第二輪列受１０６のころ受け面は、大ケージ２２０の回転中心軸線と直交するように構成される。大ケージ受２０２のころ受け面は、大ケージ２２０の回転中心軸線と直交するように構成される。
【００２６】
図５および図９を参照すると、ころ軸受２３０は、円環状のころ（ローラ）２３２と、ころ（ローラ）を回転可能なように固定するための、ころ固定ねじ２３４と、ころ２３２を回転可能なように支持するための、ころ押さえ座２３６とを含む。ころ２３２の中心穴は、ころ固定ねじ２３４の案内軸部に対して回転可能なようにはめ込まれる。ころ（ローラ）２３２は、ルビーで形成するのがよい。或いは、ころ（ローラ）２３２は、ステンレス鋼で形成することもできる。ころ固定ねじ２３４は、大ケージ２２０の大ケージ体２２１に対して、ころ２３２を回転可能なように固定する「ころ固定部材」を構成する。
【００２７】
ころ固定ねじ２３４は、ころ２３２を固定するためのころ固定部２３８を含む。ころ固定部２３８は、雄ねじで構成するのがよい。ころ固定部２３８の雄ねじを大ケージ体２２１にねじ締め固定することによって、大ケージ２２０に対してころ２３２を回転可能に保持することができるように構成される。ころ軸受２３０のころ２３２の回転中心軸線は、大ケージ２２０の回転中心軸線と直交するように構成される。図示した実施形態では、ころ軸受２３０の個数は４個であり、ころ軸受２３０のころ２３２の回転中心軸線は、等しい角度間隔（すなわち、９０度）で配置されるのがよい。
【００２８】
小ケージ２４０は、小ケージ体２４１と、小ケージかな２４２とを含む。小ケージかな２４２は小ケージ体２４１に固定され、両者は一体になって回転するように構成される。小ケージ２４０の回転中心は、大ケージ２２０の回転中心と、大ケージ２２０のアームの先端部の間に位置するように、大ケージ２２０に回転可能なように配置される。例えば、小ケージ２４０の回転中心は、地板１０２の半径をＲＢとしたときに、０．４ＲＢから０．８ＲＢの位置に配置することができる。小ケージ２４０の回転中心は、地板１０２の半径をＲＢとしたときに、1/2ＲＢから3/4ＲＢの位置に配置するのが好ましい。
【００２９】
第一固定歯車２５２が、第二輪列受１０６のガラス側に配置される。第一固定歯車２５２は小ケージかな２４２の歯車部と噛み合うように構成される。第二固定歯車２５４が、大ケージ体２２１のガラス側に配置される。アンクル受２０４が小ケージ体２４１のガラス側に配置される。てんぷ受２０６がアンクル受２０４のガラス側に配置される。がんぎ下受２０８が、小ケージ体２４１の大ケージ体２２１がある方の側（裏蓋側）に配置される。
【００３０】
がんぎ車２１０が、アンクル受２０４とがんぎ下受２０８に対して回転可能に配置される。調速装置は、てんぷ２１６を含む。脱進装置はアンクル２１４と、がんぎ車２１０とを含む。がんぎ車２１０は、がんぎ歯車２１１と、がんぎかな２１２とを有する。がんぎ歯車２１１は、アンクル受２０４と、小ケージ体２４１との間において回転するように配置される。がんぎかな２１２は、第二固定歯車２５４の歯車部と噛み合うように構成される。アンクル２１４は、アンクル受２０４及び小ケージ体２４１に対して回転可能に支持される。てんぷ２１６は、てんぷ受２０６及び小ケージ体２４１に対して回転可能に支持される。てんぷ２１６は、てん真２６１と、てん輪２６２と、ひげぜんまい２６３と、緩急針２６４と、ひげ持２６５と、ひげ持受２６６とを含む。がんぎ車２１０の回転速度は、アンクル２１４により制御されるように構成される。アンクル２１４の揺動運動は、てんぷ２１６により制御されるように構成される。
【００３１】
第二香箱歯車１２３が回転することによって大ケージ２２０が回転すると、小ケージかな２４２は、第一固定歯車２５２のまわりを公転しながら自転することができるように構成される。小ケージかな２４２が回転すると、小ケージ体２４１も一体となって回転し、がんぎかな２１２は、第二固定歯車２５４のまわりを公転しながら自転することができるように構成される。大ケージ２２０が回転するとき、ころ軸受２３０のころ２３２は、大ケージ受２０２のころ受け面と、第二輪列受１０６のころ受け面との間で案内されて回転することができるように構成される。
【００３２】
（４）手巻機構の構成：
次に、手巻機構の構成について説明する。本発明の機械式時計では、第一香箱車１２０の第一ぜんまいと、第二香箱車１２２の第二ぜんまいとを同時に巻き上げるために、手巻機構が設けられる。図１、図４および図５を参照すると、第一角穴車１４０の角穴部が、第一香箱車１２０の香箱真の上方部に設けられた角軸部に組み込まれる。第一角穴止めねじにより、第一角穴車１４０は第一香箱車１２０の香箱真と一体になって回転するように支持される。第一角穴車１４０は第一香箱車１２０の回転する方向と同一の方向にのみ回転することができる。第二角穴車１４２の角穴部が、第二香箱車１２２の香箱真の上方部に設けられた角軸部に組み込まれる。第二角穴止めねじにより、第二角穴車１４２は第二香箱車１２２の香箱真と一体になって回転するように支持される。第二角穴車１４２は第二香箱車１２２の回転する方向と同一の方向にのみ回転することができる。角穴中間車１４４が、第一角穴車１４０および第二角穴車１４２と噛み合うように配置される。第二角穴車１４２の回転規正部材を構成する、こはぜ１４６が、第二角穴車１４２の回転を１つの方向のみに規正するために設けられる。こはぜ１４６により、第二角穴車１４２が第二香箱車１２２の回転する方向と反対の方向に回転するのを阻止することができる。
【００３３】
手巻機構は、つづみ車１５０と、きち車１５２と、丸穴車１５４と、丸穴伝え車１５６と、丸穴中間車１５８とを含む。巻真１１８を０段目にした状態で、巻真１１８を回してつづみ車１５０の１つの方向に回転させることにより、きち車１５２が回転するように構成される。きち車１５２の回転により、丸穴車１５４の回転を介して丸穴伝え車１５６が回転するように構成される。丸穴伝え車１５６の回転により、丸穴中間車１５８の回転を介して第二角穴車１４２が時計回り方向に回転するように構成される。第二角穴車１４２が回転することにより、第二香箱車１２２のぜんまいを巻くことができるように構成される。第二角穴車１４２が回転することにより、角穴中間車１４４の回転を介して第一角穴車１４０が時計回り方向に回転するように構成される。第一角穴車１４０が回転することにより、第一香箱車１２０のぜんまいを巻くことができるように構成される。したがって、つづみ車１５０の１つの方向の回転により、第二香箱車１２２のぜんまいと、第一香箱車１２０のぜんまいを同時に巻くことができるように構成される。
【００３４】
（５）切換機構の構成：
次に、切換機構の構成について説明する。本発明の機械式時計では、時計の時刻を合わせるために、切換機構と、時刻合わせ機構とが設けられている。図３から図５を参照すると、切換機構は、おしどり１７０と、かんぬき１７２と、かんぬき押え１７４とを含むように構成される。時刻合わせ機構は、巻真１１８と、つづみ車１５０と、二番修正車１８０とを含む。二番中間車１２６の第二中間歯車１２８は、二番修正車１８０の歯車部と噛み合うように構成される。つづみ車押さえ１８６は、巻真１１８を外したときにつづみ車１５０を保持するために地板１０２の裏側に固定される。
【００３５】
つづみ車１５０の角穴部は巻真１１８の角軸部に組み込まれる。巻真１１８の中心軸線にそう方向における巻真１１８の位置は、切換装置（おしどり、かんぬき押えなど）により定められる。つづみ車１５０は、ムーブメント１００の中心部に近い方に位置する甲歯と、ムーブメント１００の外形部に近い方に位置する乙歯とを備える。つづみ車１５０の乙歯はラチェット歯車で構成される。きち車１５２は、つづみ車１５０の乙歯と噛合うことが出来るように構成されたきち小歯車と、丸穴車１５４の歯車部と噛合うことが出来るように構成されたきち大歯車とを備える。きち小歯車はラチェット歯車で構成される。
【００３６】
巻真１１８を０段目にした状態では、つづみ車１５０の甲歯は二番修正車１８０の歯車部と噛合わないように構成される。巻真１１８を０段目にした状態では、つづみ車１５０の乙歯はきち車の小歯車と噛合うように構成される。巻真１１８を１段目にした状態では、つづみ車１５０の甲歯は二番修正車１８０の歯車部と噛合うように構成される。この状態で、二番修正車１８０が回転すると、二番中間車１２６の回転を介して、分車１３２、日の裏車１３６、時車１３０を回転させて針合わせをすることができるように構成される。この状態で、二番修正車１８０が回転するとき、第一中間歯車１２７は、二番中間車１２６の軸部に対してスリップすることができるように構成される。
【００３７】
巻真１１８を１段目にした状態では、つづみ車１５０の乙歯はきち車１５２の小歯車と噛合わないように構成される。巻真１１８を０段目にした状態で、巻真１１８を１つの方向に回転させると、前述した手巻機構を介して、ぜんまいを巻き上げることができるように構成される。巻真１１８を０段目にした状態で、巻真１１８を他の方向に回転させると、巻真１１８とともにつづみ車１５０が回転するが、きち車１５２は回転しないように構成される。
【００３８】
（６）機械式時計の作用：
次に、本発明の機械式時計の作用について説明する。本発明の機械式時計では、図１、図４から図８および図１０を参照すると、第一香箱歯車１２１と、香箱中間歯車１２５と、第二香箱歯車１２３が回転することによって大ケージ２２０が回転すると、小ケージかな２４２は、第一固定歯車２５２のまわりを公転しながら自転する。小ケージかな２４２が回転すると、小ケージ体２４１も一体となって回転し、がんぎかな２１２は、第二固定歯車２５４のまわりを公転しながら自転する。
【００３９】
本発明では、大ケージかな２２２の中心穴は、第二中心パイプ１１３の円筒状部分の外側面に対して回転可能に配置され、複数のころ軸受２３０が、大ケージ体２２１の外周部に配置されるので、大ケージ２２０の支持部の摩擦抵抗は小さく、大ケージ２２０の傾きは効果的に抑制されている。
【００４０】
がんぎ車２１０の回転速度は、アンクル２１４により制御される。アンクル２１４の揺動運動は、てんぷ２１６により制御される。大ケージ２２０が回転すると、大ケージかな２２２の回転により二番中間車１２６の回転を介して分車１３２が回転する。分車１３２が回転すると、日の裏車１３６の回転を介して時車１３０が回転する。したがって、分車１３２に取り付けられた分針１６４が「分」を表示し、時車１３０に取り付けられた時針１６２が「時」を表示する。
【００４１】
図１１を参照すると、本発明の機械式時計のコンプリートについて説明する。ムーブメント１００を時計ケース３１０の中に組み入れ、文字板１１０、りゅうず３０４、時針１６２、分針１６４を付けてコンプリート３００を構成する。時計ケース３１０は、時計側（とけいがわ）３１２と、時計ガラス３１４と、裏蓋（図示せず）とを含む。文字板１１０は、大ケージ２２０の動きを見ることができるように、大ケージ２２０の外径に近い寸法の中心穴を有するリング状に形成するのがよい。或いは、本発明の機械式時計では、文字板を設けないように構成することもできる。
【００４２】
使用者は、透明な時計ガラスを通して、時刻を認識するとともに、大ケージ２２０、小ケージ２４０が回転する作動や、がんぎ車２１０、アンクル２１４、てんぷ２１６の動作を見ることができる。図１、図５および図１１に示すように、本発明の実施形態においては時針１６２、分針１６４は、小ケージ２４０と重ならないで回転することができるように構成されている。或いは、本発明の機械式時計では、分車および時車１３０の針付部長さが長い部品を製造して（いわゆる「長口」を用意して）、時針１６２、分針１６４は、小ケージ２４０の上を回転することができるように構成することもできる。
【実施例】
【００４３】
一例として、本発明の実施例は、下記の条件で構成することができる。
・第一香箱歯車１２１の歯数：９０；
・香箱中間歯車１２５の歯数：３２；
・第二香箱歯車１２３の歯数：９０；
・大ケージかな２２２の歯数：１８；
・第一中間歯車１２７の歯数：５４；
・第二中間歯車１２８の歯数：５６；
・第三中間歯車１２９の歯数： ４０；
・分歯車１３３の歯数：４０；
・分かな１３４の歯数：１４；
・日の裏歯車１３７の歯数：４２；
・日の裏かな１３８の歯数：１０；
・時歯車１３１の歯数：４０；
・第一固定歯車２５２の歯数：２００；
・小ケージかな２４２の歯車部の歯数：１０；
・第二固定歯車２５４の歯数：９６；
・がんぎ歯車２１１の歯数：２０；
・がんぎかな２１２の歯数：８。
【００４４】
本発明の実施例では、小ケージ２４０の回転中心は、地板１０２の半径を１８．５ｍｍとしたときに、大ケージ２２０の回転中心から１０．１５ｍｍとなる位置に配置する。また、本発明の実施例では、小ケージ２４０の外径は５．４ｍｍであり、大ケージ２２０の外径は１６ｍｍである。また、本発明の実施例では、大ケージ２２０は、１時間に３回転し、小ケージ２４０は、１分間に１回転する。上記の歯車の歯数を変えることによって、大ケージ２２０の回転速度や、小ケージ２４０の回転速度を変えることができる。
【産業上の利用可能性】
【００４５】
本発明により、回転部材の支持部の摩擦抵抗が小さく、回転部材の傾きを抑制することができるように構成した機械式時計を製造することができる。また、本発明により、使用者が内側回転部材、外側回転部材、脱進機構、調速機構等の作動を見ることができるように構成した機械式時計を製造することができる。
【図面の簡単な説明】
【００４６】
【図１】本発明の機械式時計の実施の形態において、ムーブメントを文字板側からみた状態を示す平面図（裏平面図）である。
【図２】本発明の機械式時計の実施の形態において、ムーブメントを裏蓋側からみた状態を示す平面図（表平面図）である。
【図３】本発明の機械式時計の実施の形態において、輪列受を外した状態におけるムーブメントを裏蓋側からみた状態を示す平面図（表平面図）である。
【図４】本発明の機械式時計の実施の形態において、第二輪列受を外した状態におけるムーブメントを文字板側からみた状態を示す平面図（裏平面図）である。
【図５】本発明の機械式時計の実施の形態において、香箱車、分車、がんぎ車、アンクル、てんぷ等を示す部分断面図である。
【図６】本発明の機械式時計の実施の形態において、時車、日の裏車、二番中間車等を示す部分断面図である。
【図７】本発明の機械式時計の実施の形態において、てんぷ受を外した状態におけるがんぎ車、アンクル、てんぷ等を示す部分拡大平面図である。
【図８】本発明の機械式時計の実施の形態において、てんぷ受、アンクル受を外した状態におけるがんぎ車、アンクル、てんぷ等を示す部分拡大平面図である。
【図９】本発明の機械式時計の実施の形態において、軸受の構造を示す断面図である。
【図１０】本発明の機械式時計の実施の形態において、回転部材の回転伝達機構を示すブロック図である。
【図１１】本発明の機械式時計の実施の形態において、小ケージの回転中心が１２時方向に位置している状態におけるコンプリートの概略形状を示す平面図である。
【符号の説明】
【００４７】
１００    ムーブメント
１０２    地板
１０４    輪列受
１０６    第二輪列受
１１０    文字板
１１２    第二地板
１１８    巻真
１２０    第一香箱車
１２２    第二香箱車
１２４    香箱中間車
１２６    二番中間車
１３０    時車
１３２    分車
１３６    日の裏車
２０２    大ケージ受
２１０    がんぎ車
２１４    アンクル
２１６    てんぷ
２２０    大ケージ
２３０    ころ軸受
２４０    小ケージ
２５２    第一固定歯車
２５４    第二固定歯車
【図１】
2008058094.tif 000003
【図２】
2008058094.tif 000004
【図３】
2008058094.tif 000005
【図４】
2008058094.tif 000006
【図５】
2008058094.tif 000007
【図６】
2008058094.tif 000008
【図７】
2008058094.tif 000009
【図８】
2008058094.tif 000010
【図９】
2008058094.tif 000011
【図１０】
2008058094.tif 000012
【図１１】
2008058094.tif 000013